(57)【要約】【課題】受検者の動線を考慮して受検者の安全性に配慮した放射線検診施設レイアウトを提供することを目的とする。【解決手段】本実施例の放射線検診施設のレイアウトによれば、ロビー１３と、ロビー１３から入室可能な処置室１４と、処置室１４との間に出入口が形成された第１の安静室１５と、第１および第２のＰＥＴ／ＣＴ検診室１７，１８と、第１の回復室２１とを備え、第１の案内室１５、第１，第２のＰＥＴ／ＣＴ検診室１７，１８、第１の回復室２１、およびロビー１３の各出入口に面する空間（第１の前室２４）を形成することにより、ＰＥＴ検診後の受検者とＰＥＴ検診前の受検者とが交差しないようする。【選択図】        図１
2006200256.tif 000002
【特許請求の範囲】
【請求項１】
受検者の動線を考慮した放射線検診施設レイアウトにおいて、
廊下と、前記廊下から入室可能な処置室と、前記処置室との間に出入口が形成された待機室と、放射線検診室と、回復室とを備え、
前記待機室、前記放射線検診室、前記回復室、および前記廊下の各出入口に面する空間を形成することにより、放射線検診後の受検者が、前記待機室から前記放射線検診室に向かう受検者と交差しないで前記廊下に出られるようにしたことを特徴とする放射線検診施設レイアウト。
【請求項２】
前記待機室および前記放射線検診室は前記回復室に比して、前記廊下から奥側に配置されており、前記空間は、前記回復室の出入口を挟んで一方側が前記放射線検診室から前記回復室に入る通路スペース、他方側が前記回復室から廊下に出る通路スペースを形成することを特徴とする請求項１に記載の放射線検診施設レイアウト。
【請求項３】
受検者の動線を考慮した放射線検診施設レイアウトにおいて、
廊下と、前記廊下から入室可能な処置室と、前記処置室に対して両側に配置され、当該処置室との間に各々出入口が形成された第１および第２待機室と、第１および第２放射線検診室と、第１および第２回復室とを備え、
前記第１待機室、前記第１放射線検診室、前記第１回復室、および前記廊下の各出入口に面する第１空間を形成することにより、前記第１放射線検診室での放射線検診後の受検者が、前記第１待機室から前記第１放射線検診室に向かう受検者と交差しないで前記廊下に出られるようにするとともに、
前記第２待機室、前記第２放射線検診室、前記第２回復室、および前記廊下の各出入口に面する第２空間を形成することにより、前記第２放射線検診室での放射線検診後の受検者が、前記第２待機室から前記第２放射線検診室に向かう受検者と交差しないで前記廊下に出られるようにしたことを特徴とする放射線検診施設レイアウト。
【請求項４】
前記放射線検診施設は、ＰＥＴ（ポジトロン・エミッション・トモグラフィー）検診施設であることを特徴とする請求項１〜請求項３のいずれか１つに記載の放射線検診施設レイアウト。
【発明の詳細な説明】
【技術分野】
【０００１】
本発明は、放射線検診施設レイアウトに関し、詳細には、受検者の動線を考慮して受検者の安全性に配慮した放射線検診施設レイアウトに関する。
【背景技術】
【０００２】
ＰＥＴ（ポジトロン・エミッション・トモグラフィー）検診とは、陽電子（ポジトロン）を核崩壊で放出する核種を原材料とした放射性薬剤を用い、陽電子が電子と核反応を起こす際、対称方向に放出される２対のγ線を捕らえて映像化し、癌の早期発見や代謝機能の測定等に役立てる診断技術である。陽電子を放出するＰＥＴ検診用の核種は、加速器等で加速した荷電粒子を標的材料（原材料）に衝突させ、核変換を起こさせて生成するのが一般的であるが、こうして生成した核種は半減期が非常に短い。例えば、主なものでフッ素１８が２時間程度、炭素１１が２０分程度、窒素１３が１０分程度、酸素１５が２分程度である。
【０００３】
そのため、ＰＥＴ検診は、これまでは主に研究所や大学病院等のように、核種を製造するための加速器等の設備を所有し、核種を製造から取り扱うことができる特定の機関で実施されるのが一般的であった。ところが、最近の加速器の小型化、薬事法による使用薬剤の承認等といった背景の下、中小規模の医療機関等においてもＰＥＴ検診を実施しようとする機運が高まってきており、今後、ＰＥＴ検診の急速な普及が見込まれている。
【０００４】
図３は、従来のＰＥＴ検診施設のレイアウトの一例を示す平面図である。図３において、１０１はエントランス、１０２はホール、１０３は廊下、１０４は通路、１０５は処置室、１０６は待合室、１０７は回復室、１０８は第１のＰＥＴ検診室、１０９は第２のＰＥＴ検診室、１１０は第３のＰＥＴ検診室、１１１は第４のＰＥＴ検診室を示している。
【０００５】
同図に示すＰＥＴ検診施設では、エントランス１０１を入るとホール１０３が配置されており、このホール１０３には、通路１０３が水平方向に延長されている。通路１０３を挟んで、その上側に、第１〜第４のＰＥＴ検診室１０８，１０９，１１０，１１１が並置され、その下側に、処置室１０５，待機室１０６、回復室１０７が並置されている。
【０００６】
図４は、図３のＰＥＴ検診施設の受検者の動線を説明するための図である。図４を参照して、図３のＰＥＴ検診施設の受検者の動線を説明する。（１）エントランス１０１からホール１０２に入った受検者は、廊下１０３を通って処置室１０５に入り、処置室１０５て放射性薬剤を体内に注入された後、（２）待機室１０６で待機し、（３）廊下１０３を通って、第１〜第４のいずれかのＰＥＴ検診室１０８〜１１１でＰＥＴ検診を受け、（４）ＰＥＴ検診後、廊下１０３を通って回復室１０７で回復を待ち、（５）回復後、ホール１０２に移動する。
【０００７】
しかしながら、上記レイアウト構成のＰＥＴ検診施設では、待機室１０６から第１〜第４のＰＥＴ室１０８〜１１１に入る，体内に放射性薬剤を注入されたばかりの受検者Ａと、第１〜第４のＰＥＴ室１０８〜１１１でＰＥＴ検診を終え放射線量が低下して退室する受検者ＢおよびこれからＰＥＴ検診を受けるために処置室１０５に向かう受検者Ｃとが、廊下１０３で交錯する可能性があるため、受検者Ａから発せられる放射線を、受検者Ｂ、Ｃが受ける可能性がある。
【０００８】
ＰＥＴ検診に用いる放射性薬剤の線量は基準値に対して低いため、現時点では法規上問題になっていないが実質的問題を内包した状況であり、今後の法制化も予想され、受検者の安全性に配慮したＰＥＴ検診施設のレイアウトが望まれる。病院のレイアウトとしては、例えば、特許文献１が公知である。
【０００９】
【特許文献１】特開平１１−２２９６４４号公報
【発明の開示】
【発明が解決しようとする課題】
【００１０】
本発明は、上記に鑑みてなされたものであり、受検者の動線を考慮して受検者の安全性に配慮した放射線検診施設レイアウトを提供することを目的とする。
【課題を解決するための手段】
【００１１】
上述した課題を解決し、目的を達成するために、本発明は、受検者の動線を考慮した放射線検診施設レイアウトにおいて、廊下と、前記廊下から入室可能な処置室と、前記処置室との間に出入口が形成された待機室と、放射線検診室と、回復室とを備え、前記待機室、前記放射線検診室、前記回復室、および前記廊下の各出入口に面する空間を形成することにより、放射線検診後の受検者が、前記待機室から放射線検診室に向かう受検者と交差しないで前記廊下に出られるようにしたことを特徴とする。
【００１２】
これにより、放射線検診後の受検者が、前記待機室から放射線検診室に向かう受検者と交差しないで前記廊下に出ることができ、放射線検診後の受検者が、前記待機室から放射線検診室に向かう受検者から放射線を受ける可能性を防止でき、受検者の安全性を配慮することができる。
【００１３】
また、本発明の好ましい態様によれば、前記待機室および前記放射線検診室は前記回復室に比して、前記廊下から奥側に配置されており、前記空間は、前記回復室の出入口を挟んで一方側が前記放射線検診室から前記回復室に入る通路スペース、他方側が前記回復室から廊下に出る通路スペースを形成することが望ましい。
【００１４】
これにより、待機室から放射線検診室に向かう受検者と回復室から廊下に向かう受検者とが、交差することを防止することができる。
【００１５】
上述した課題を解決し、目的を達成するために、本発明は、受検者の動線を考慮した放射線検診施設レイアウトにおいて、廊下と、前記廊下から入室可能な処置室と、前記処置室に対して両側に配置され、当該処置室との間に各々出入口が形成された第１および第２待機室と、第１および第２放射線検診室と、第１および第２回復室とを備え、前記第１待機室、前記第１放射線検診室、前記第１回復室、および前記廊下の各出入口に面する第１空間を形成することにより、前記第１放射線検診室での放射線検診後の受検者が、前記第１待機室から第１放射線検診室に向かう受検者と交差しないで前記廊下に出られるようにするとともに、前記第２待機室、前記第２放射線検診室、前記第２回復室、および前記廊下の各出入口に面する第２空間を形成することにより、前記第２放射線検診室での放射線検診後の受検者が、前記第２待機室から第２放射線検診室に向かう受検者と交差しないで前記廊下に出られるようにしたことを特徴とする。
【００１６】
これにより、放射線検診後の受検者が、待機室から放射線検診室に向かう受検者と交差しないで前記廊下に出ることができ、放射線検診後の受検者が、前記待機室から放射線検診室に向かう受検者から放射線を受ける可能性を防止でき、受検者の安全性を配慮することができる。また、２つのルートで放射線検診を受けられるため、効率的に放射線検診を行うことが可能となる。
【００１７】
また、本発明の好ましい態様によれば、前記放射線検診施設は、ＰＥＴ（ポジトロン・エミッション・トモグラフィー）検診施設であることが望ましい。これにより、ＰＥＴ検診後の受検者が、待機室からＰＥＴ検診室に向かう受検者と交差しないで廊下に出ることができ、ＰＥＴ検診後の受検者が、待機室からＰＥＴ検診室に向かう受検者から放射線を受ける可能性を防止でき、受検者の安全性を配慮することができる。
【発明の効果】
【００１８】
本発明によれば、受検者の動線を考慮した放射線検診施設レイアウトにおいて、廊下と、前記廊下から入室可能な処置室と、前記処置室との間に出入口が形成された待機室と、放射線検診室と、回復室とを備え、前記待機室、前記放射線検診室、前記回復室、および前記廊下の各出入口に面する空間を形成することにより、放射線検診後の受検者が、前記待機室から放射線検診室に向かう受検者と交差しないで前記廊下に出られるようにしたので、放射線検診後の受検者が、前記待機室から放射線検診室に向かう受検者と交差しないで前記廊下に出ることができ、放射線検診後の受検者が、前記待機室から放射線検診室に向かう受検者から放射線を受ける可能性を防止でき、受検者の動線を考慮して受検者の安全性を配慮することが可能な放射線検診施設レイアウトを提供することが可能となる。
【発明を実施するための最良の形態】
【００１９】
以下に、この発明に係る放射線検診施設レイアウトにつき図面を参照しつつ詳細に説明する。以下の実施例では、放射線検診施設としてＰＥＴ検診施設を例示して説明するが、この実施例によりこの発明が限定されるものではない。また、下記実施例における構成要素には、当業者が容易に想定できるものまたは実質的に同一のものが含まれる。
【実施例】
【００２０】
図１は、本発明の一実施例に係るＰＥＴ検診施設のレイアウトを示す平面図である。同図において、１１はエントランス、１２はホール、１３はロビー（「廊下」ともいう）、１４は処置室、１５は第１の安静室（「待機室」ともいう）、１６は第２の安静室（「待機室」ともいう）、１７は第１のＰＥＴ／ＣＴ検診室、１８は第２のＰＥＴ／ＣＴ検診室、１９は第３のＰＥＴ／ＣＴ検診室、２０は第４のＰＥＴ／ＣＴ検診室、２１は第１の回復室、２２は第２の回復室、２３は第３の回復室、２４は第１の前室（「空間」ともいう）、２５は第２の前室（「空間」ともいう）、２６は情報処理室、２７は読影室、２８は事務室、２９，３０は操作室を示している。
【００２１】
図１において、エントランス１１を入ると、ホール１２が配置されており、このホール１２にはロビー１３が水平方向に延在している。このロビー１３の略中央位置は、処置室１４の出入口と面しており、また、その略両端位置は、第１，第２の前室２４，２５の出入口とそれぞれ面している。処置室１４はロビー１３に対して直交方向に配置されている。この処置室１４では、受検者の体内に放射性薬剤の注入が行われる。処置室１４を挟んで、左右に第１，第２の安静室１５，１６が配置されている。
【００２２】
処置室１４と第１の安静室１５間には出入口が設けられている。第１の安静室１５では、放射性薬剤を注入された受検者がＰＥＴ検診を行うまで待機する。第１の安静室１５の上側には第２のＰＥＴ／ＣＴ検診室１８、下側には第１の回復室２１、右側には第１の前室２４が配置されている。第１の前室２４の右側には第１のＰＥＴ／ＣＴ検診室１７、その上側には、第２のＰＥＴ／ＣＴ検診室１８が配置されている。この第１の前室２４は、第１の安静室１５、第１，第２のＰＥＴ／ＣＴ検診室１７，１８、第１の回復室２１、およびロビー１３の各出入口に面している。
【００２３】
第１，第２のＰＥＴ／ＣＴ検診室１７，１８には、ＰＥＴ装置やＣＴ装置が設けられており、受検者がＰＥＴ検診を行う。第１の回復室２１では、ＰＥＴ検診を終えた受検者が所定時間待機し、体内の放射線量が所定値以下になるまで待機する。第１の前室２４は、第１の回復室２１の出入口を挟んで、上側が第１，第２のＰＥＴ／ＣＴ検診室１７，１８から第１の回復室２１に入る通路スペース、下側が第１の回復室２１からロビー１３に出る通路スペースを形成している。
【００２４】
同様に、処置室１４と第２の安静室１６間には出入口が設けられている。第２の安静室１６では、放射性薬剤を注入された受検者がＰＥＴ検診を行うまで待機する。第２の安静室１６の上側には第３のＰＥＴ／ＣＴ検診室１９、下側には第２の回復室２２、左側には第２の前室２５が配置されている。第２の前室２５の左側には、上下方向に第４のＰＥＴ／ＣＴ検診室２０および第３の回復室２３が配置されている。第２の前室２５は、第２の安静室１６、第３および第４のＰＥＴ／ＣＴ検診室１９，２０、第２の回復室２２、第３の回復室２３、ロビー１３の各出入口に面している。第３、第４のＰＥＴ／ＣＴ検診室１９，２０には、ＰＥＴ装置やＣＴ装置が設けられており、受検者がＰＥＴ検診を行う。第２，第３の回復室２２，２３では、ＰＥＴ検診を終えた受検者が体内の放射線量が所定値以下になるまで待機する。第２の前室２５は、第２の回復室２１または第３の回復室２３の出入口を挟んで、その上側が第３，第４のＰＥＴ／ＣＴ検診室１９，２０から第２の回復室２２または第３の回復室２３に入る通路スペース、その下側が第２の回復室２２または第３の回復室２３からロビー１３に出る通路スペースを形成している。なお、各室の出入口は、開口型、開閉扉型、および回転扉型のいずれで構成してもよい。
【００２５】
図２は、図１のＰＥＴ検診施設の受検者の動線を説明するための説明図である。図２を参照して、上記レイアウト構成のＰＥＴ検診施設の受検者の動線について説明する。上記レイアウト構成のＰＥＴ検診施設では、２つのルートでＰＥＴ検診を受けることが可能となっている。まず、第１のルートについて説明する。ロビー１３に入った受検者は、（１）処置室１４で放射性薬剤を注入された後、（２）第１の安静室１５で待機し、（３）第１の前室２４を通って、第１または第２のＰＥＴ／ＣＴ検診室１７，１８でＰＥＴ検診を受け、（４）ＰＥＴ検診後、第１の前室２４を通って第１の回復室２１で回復を待ち、（５）回復後、第１の前室２４を通って、ロビー１３に移動する。
【００２６】
ＰＥＴ検診を行う検査技師は、第１の安静室１５から第１の前室２４を通って第１または第２のＰＥＴ／ＣＴ検診室１７，１８に入る受検者と、第１または第２のＰＥＴ／ＣＴ検診室１７，１８でＰＥＴ検診を終了して、第１の前室２４を通って、第１の回復室２１に向かう受検者とが交差しないように、第１の安静室１５から第１または第２のＰＥＴ／ＣＴ検診室１７，１８に受検者を案内する。なお、ここでは検査技師が受検者を案内することにしたが、スピーカー等を使用して音声で案内することにしても良い。
【００２７】
このように、第１の安静室１５から第１の前室２４を通って第１または第２のＰＥＴ／ＣＴ検診室１７，１８に入る受検者と、ＰＥＴ検診後の受検者とが交差することがないため、放射性薬剤を投入されたばかりの受検者とＰＥＴ検診後の放射線量が低下した受検者とが交差することがなく、受検者の安全性を確保することができる。
【００２８】
つぎに、第２のルートについて説明する。ロビー１３に入った受検者は、（１）処置室１４で放射性薬剤を注入された後、（２）第２の安静室１６で待機し、（３）第２の前室２５を通って、第３または第４のＰＥＴ／ＣＴ検診室１９，２０でＰＥＴ検診を受け、（４）ＰＥＴ検診後、第２の前室２５を通って第２または第３の回復室２２，２３で回復を待ち、（５）回復後、第２の前室２５を通って、ロビー１３に移動する。
【００２９】
ＰＥＴ検診を行う検査技師は、第２の安静室１６から第２の前室２５を通って第３または第４のＰＥＴ／ＣＴ検診室１９，２０に入る受検者と、第３または第４のＰＥＴ／ＣＴ検診室１９，２０でＰＥＴ検診を終了して、第２の前室２５を通って、第２の回復室２２または第３の回復室２３に向かう受検者とが交差しないように、第２の安静室１６から第３または第４のＰＥＴ／ＣＴ検診室１９，２０に受検者を案内する。なお、ここでは検査技師が受検者を案内することにしたが、スピーカー等を使用して音声で案内することにしても良い。
【００３０】
このように、第２の安静室１６から第２の前室２５を通って第３または第４のＰＥＴ／ＣＴ検診室１９，２０に入る受検者と、ＰＥＴ検診後の受検者とが交差することがないため、放射性薬剤を投入されたばかりの受検者とＰＥＴ検診後の放射線量が低下した受検者とが交差することがなく、受検者の安全性を確保することができる。
【００３１】
以上説明したように、本実施例の放射線検診施設のレイアウトによれば、ロビー１３と、ロビー１３から入室可能な処置室１４と、処置室１４との間に出入口が形成された第１の安静室１５と、第１および第２のＰＥＴ／ＣＴ検診室１７，１８と、第１の回復室２１とを備え、第１の案内室１５、第１および第２のＰＥＴ／ＣＴ検診室１７，１８、第１の回復室２１、およびロビー１３の各出入口に面する空間（第１の前室２４）を形成しているので、ＰＥＴ検診後の受検者が、第１の安静室１５から第１および第２のＰＥＴ／ＣＴ検診室１７，１８に向かうＰＥＴ検診前の受検者と交差しないでロビー１３に出ることができ、ＰＥＴ受検者の安全を確保することが可能となる。
【００３２】
また、第１の安静室１５および第１，第２のＰＥＴ／ＣＴ検診室１７，１８は、第１の回復室２１に比して、ロビー１３から奥側に配置されており、第１の前室２４は、第１の回復室２１の出入口を挟んでその上側がＰＥＴ／ＣＴ検診室１７，１８から第１の回復室２４に入る通路スペース、その下側が第１の回復室２１からロビー１３に出る通路スペースを形成しているので、第１の安静室１５から第１，第２ＰＥＴ／ＣＴ検診室１７，１８に向かうＰＥＴ検診前の受検者と、第１の回復室２１から第１の前室２４を通ってロビー１３に出る受検者とが交差することを防止することが可能となる。
【００３３】
また、本実施例によれば、２つのルートで放射線検診を受けられるため、効率的に放射線検診を行うことが可能となる。
【００３４】
なお、上記実施例では、放射線検診施設として、ＰＥＴ検診施設について説明したが、本発明はこれに限られるものではなく、放射線を使用して検診を行う全ての放射線検診施設に適用可能である。
【産業上の利用可能性】
【００３５】
本発明に係る放射線検診施設レイアウトは、放射性薬剤を用いて検診を行う放射線施設の受検者の安全性に配慮したイアウトを設計する場合に有用であり、特に、ＰＥＴ検診を行う医療機関を対象とした場合に有用である。
【図面の簡単な説明】
【００３６】
【図１】本発明の一実施例に係るＰＥＴ検診施設のレイアウトを示す平面図である。
【図２】図１のＰＥＴ検診施設の受検者の動線を説明するための説明図である。
【図３】従来のＰＥＴ検診施設のレイアウトの一例を示す平面図である。
【図４】図３のＰＥＴ検診施設の受検者の動線を説明するための図である。
【符号の説明】
【００３７】
１１  エントランス
１２  ホール
１３  ロビー
１４  処置室
１５  第１の安静室
１６  第２の安静室
１７  第１のＰＥＴ／ＣＴ検診室
１８  第２のＰＥＴ／ＣＴ検診室
１９  第３のＰＥＴ／ＣＴ検診室
２０  第４のＰＥＴ／ＣＴ検診室
２１  第１の回復室
２２  第２の回復室
２３  第３の回復室
２４  第１の前室
２５  第２の前室
２６  情報処理室
２７  読影室
２８  事務室
２９，３０  操作室
１０１  エントランス
１０２  ホール
１０３  廊下
１０４  通路
１０５  処置室
１０６  待合室
１０７  回復室
１０８  第１のＰＥＴ検診室
１０９  第２のＰＥＴ検診室
１１０  第３のＰＥＴ検診室
１１１  第４のＰＥＴ検診室
【図１】
2006200256.tif 000003
【図２】
2006200256.tif 000004
【図３】
2006200256.tif 000005
【図４】
2006200256.tif 000006